(57)【要約】【課題】顧客に対して個人情報等の入力を容易にさせること。【解決手段】自端末装置において記憶されたアプリケーションプログラムを実行する際に用いることが可能な個人情報を記憶する記憶部と、店舗端末から送信される申込書データに含まれる記述項目に対応する個人情報を記憶部から抽出し、記述項目毎に対応づけて記述データを得る抽出部と、店舗端末から申込書データを受信し、取得された記述データを店舗端末に送信する通信部と、を有する端末装置。【選択図】図２
2014170489.tif 000002
【特許請求の範囲】
【請求項１】
自端末装置において記憶されたアプリケーションプログラムを実行する際に用いることが可能な個人情報を記憶する記憶部と、
店舗端末から送信される申込書データに含まれる記述項目に対応する個人情報を前記記憶部から抽出し、当該記述項目毎に対応づけて記述データを得る抽出部と、
前記店舗端末から申込書データを受信し、取得された前記記述データを前記店舗端末に送信する通信部と、
を有する端末装置。
【請求項２】
前記記憶部は、複数のアプリケーション毎に当該アプリケーションに対応した個人情報を記憶しており、
前記抽出部は、前記記述項目に対応する個人情報をいずれのアプリケーションに対応する個人情報から抽出するかを表す優先順位に従って個人情報を抽出する
ことを特徴とする請求項１記載の端末装置。
【請求項３】
前記抽出部は、前記記憶部からの読み出しを許可する対象の個人情報の項目を表すデフォルト情報に従い、前記記憶部から個人情報を抽出する
ことを特徴とする請求項１または請求項２記載の端末装置。
【請求項４】
前記通信部は、前記店舗端末に対し近距離通信により前記店舗端末から前記申込書データを受信し、前記記述データを前記店舗端末に送信する
ことを特徴とする請求項１から３の何れか一項に記載の端末装置。
【請求項５】
自端末装置において記憶されたアプリケーションプログラムを実行する際に用いることが可能な個人情報を記憶部に記憶する記憶ステップと、
店舗端末から送信される申込書データに含まれる記述項目に対応する個人情報を前記記憶部から抽出し、当該記述項目毎に対応づけて記述データを得る抽出ステップと、
前記店舗端末から申込書データを受信し、取得された前記記述データを前記店舗端末に送信する通信ステップと、
を有する個人情報転送方法。
【発明の詳細な説明】
【技術分野】
【０００１】
本発明は、申込書に個人情報を自動入力する技術に関する。
【背景技術】
【０００２】
従来、顧客（ユーザ）が店舗などで申込書に個人情報を入力する端末装置において、個人情報の一部を自動入力させる技術が複数提案されている。
個人情報を自動入力させるにあたり、例えば、サーバ上のデータベースを利用する技術が知られている（例えば、特許文献１参照）。この技術は、顧客が事前に個人情報をサーバ上のデータベースに登録し、その登録された個人情報を利用して申込書に自動入力させるものである。
また、個人情報を自動入力する技術として、個人情報が記録されたカードを利用する技術も知られている（例えば、特許文献２参照）。この技術は、顧客が申込書作成時に個人情報が記録されたカードをコンピュータに読み込ませることによって、カードに記録されている個人情報を申込書に自動入力させるものである。
また、個人情報を自動入力する技術として、ＯＣＲ（Optical Character Reader）を利用する技術も知られている（例えば、特許文献３参照）。この技術は、店員が免許証などのカードの印字面をスキャナによって取り込み、取り込まれたカードの画像をＯＣＲによってカードに印字されている個人情報を認識し、申込書に自動入力させるものである。
【先行技術文献】
【特許文献】
【０００３】
【特許文献１】特開２００３−１５０７２５号公報
【特許文献２】特開平１１−２３２３４５号公報
【特許文献３】特開２０００−３３１１０６号公報
【発明の概要】
【発明が解決しようとする課題】
【０００４】
しかしながら、特許文献１の技術を利用する場合には、顧客が事前に個人情報をサーバ上のデータベースに登録する必要がある。また、データベースからの個人情報の漏えいや個人情報の流出などの問題が発生するおそれもある。
特許文献２の技術を利用する場合には、顧客は、個人情報が記録されたカードを作成し、店舗での申し込み時に持参しなければならない。さらに、個人情報が書き込まれたカードであるため、カードのデータが固定のデータとなってしまう。そのため、個人情報に変更があった場合には、顧客は再度カードを作成しなければならず、手間がかかってしまう。
特許文献３の技術を利用する場合には、店舗側において、ＯＣＲの処理をする専用の装置を備える必要がある。
このように、特許文献１〜３によるいずれの技術も、個人情報の事前登録を必要としたり、あるいは、店舗側が専用装置を備える必要がある。したがって、特許文献１〜３によるいずれの技術によっても、顧客に対して個人情報等の入力を容易にさせる環境を提供することは困難であるという問題があった。
【０００５】
上記事情に鑑み、本発明は、顧客に対して個人情報等の入力を容易にさせる技術の提供を目的としている。
【課題を解決するための手段】
【０００６】
本発明の一態様は、自端末装置において記憶されたアプリケーションプログラムを実行する際に用いることが可能な個人情報を記憶する記憶部と、店舗端末から送信される申込書データに含まれる記述項目に対応する個人情報を前記記憶部から抽出し、当該記述項目毎に対応づけて記述データを得る抽出部と、前記店舗端末から申込書データを受信し、取得された前記記述データを前記店舗端末に送信する通信部と、を有する端末装置である。
【０００７】
本発明の一態様は、上記の端末装置であって、前記記憶部は、複数のアプリケーション毎に当該アプリケーションに対応した個人情報を記憶しており、前記抽出部は、前記記述項目に対応する個人情報をいずれのアプリケーションに対応する個人情報から抽出するかを表す優先順位に従って個人情報を抽出することを特徴とする。
【０００８】
本発明の一態様は、上記の端末装置であって、前記抽出部は、前記記憶部からの読み出しを許可する対象の個人情報の項目を表すデフォルト情報に従い、前記記憶部から個人情報を抽出することを特徴とする。
【０００９】
本発明の一態様は、上記の端末装置であって、前記通信部は、前記店舗端末に対し近距離通信により前記店舗端末から前記申込書データを受信し、前記記述データを前記店舗端末に送信することを特徴とする。
【００１０】
本発明の一態様は、自端末装置において記憶されたアプリケーションプログラムを実行する際に用いることが可能な個人情報を記憶部に記憶する記憶ステップと、店舗端末から送信される申込書データに含まれる記述項目に対応する個人情報を前記記憶部から抽出し、当該記述項目毎に対応づけて記述データを得る抽出ステップと、前記店舗端末から申込書データを受信し、取得された前記記述データを前記店舗端末に送信する通信ステップと、を有する個人情報転送方法である。
【発明の効果】
【００１１】
本発明により、店舗端末から送信された申込書データの項目データに対応する個人情報を、顧客が使用する端末において記憶されたアプリケーションプログラムを実行する際に用いることが可能な個人情報を記憶した記憶部から抽出し、各項目データに対応付けて申込書データに入力することによって、顧客にとって個人情報等の入力操作が容易となる。
【図面の簡単な説明】
【００１２】
【図１】個人情報転送システムのシステム構成の概念を表す概略図である。
【図２】無線端末１０の機能構成を表す概略ブロック図である。
【図３】アプリケーションテーブルの構成図である。
【図４】表示画面における表示例である。
【図５】表示画面における表示例である。
【図６】本実施形態における関連情報転送処理の流れの具体例を示すフローチャートである。
【図７】本実施形態における関連情報転送処理の流れの具体例を示すフローチャートである。
【図８】変形例における無線端末１０のデフォルト設定処理の流れの具体例を示すフローチャートである。
【発明を実施するための形態】
【００１３】
以下、本発明の一実施形態を、図面を参照しながら説明する。
図１は、個人情報転送システムのシステム構成の概念を表す概略図である。本発明の個人情報転送システムは、無線端末（端末装置）１０及び店舗端末（店舗サーバ）２０を備える。
無線端末１０は、スマートフォン、携帯電話機、ＰＤＡ（Personal Digital Assistant）などのコンピュータ端末である。無線端末１０は、例えば、通信経路上の傍受が困難なＮＦＣ（Near Field Communication）によって店舗端末２０との間で無線通信を行う。また、無線端末１０は、店舗端末２０から申込書データを受信する。申込書データとは、例えば、ユーザがクレジットカードの入会や保険の入会などの申し込みをする際に入力が必要な個人情報の各項目を項目データとして含むデータである。項目データは、例えば、氏名、性別、年齢、クレジットカードを利用するサービスにおいてはクレジットカード情報などの個人情報を構成する項目に関するデータである。申込書データは、店舗ごとや、サービスごとに異なる項目データが設定されても良い。また、無線端末１０は、申込書データの項目データに対応する個人情報が入力された申込書データ（以下、「記述データ」という。）を店舗端末２０に送信する。
【００１４】
なお、無線端末１０には、記述データを店舗端末２０に転送するためのアプリケーションソフトウェアである個人情報転送アプリケーションがインストールされる。個人情報転送アプリは、例えば、ワレットアプリである。無線端末１０上で起動された個人情報転送アプリケーションが実行することにより、各項目データに対応するユーザの情報を含む個人情報の転送が可能になる。個人情報転送アプリケーションがインストールされると、無線端末１０は自装置にインストールされている各アプリケーションと個人情報転送アプリケーションとを対応付ける。このように構成されることで、無線端末１０は各アプリケーションから個人情報を抽出することができる。また、対応付けられた各アプリケーションに対して優先順位が設定される。
また、無線端末１０は、ユーザの操作に応じて、デフォルト情報を設定する。デフォルト情報は、受信した申込書データに含まれる項目のうち、アプリケーションテーブル（後述する）に記憶されている個人情報を対応する項目に記述することをユーザが許可した情報である。
【００１５】
以下、デフォルト情報を用いて申込書データに個人情報を記述する方法について説明する。まず、無線端末１０は、ユーザの操作に応じてデフォルト情報として定義する個人情報の項目を選択する。次に、無線端末１０は、選択された個人情報の項目に対応する個人情報の値を個人情報転送アプリケーションに対応付けられた各アプリケーションから抽出する。この際、抽出された個人情報のうち、他のアプリケーションとの間で重複する個人情報が存在する場合、無線端末１０は優先順位に基づいて優先順位が高いアプリケーションの個人情報を抽出する。そして、無線端末１０は、申込書データの対応する項目データに抽出した個人情報を記述する。なお、デフォルト情報は、記憶部に記憶されている。
【００１６】
店舗端末２０は、例えば、タブレット端末などのコンピュータ端末である。店舗端末２０は、商店、銀行などの商業店舗に備えられる端末であり、無線端末１０に申込書データを送信する。店舗端末２０は、例えば、通信経路上の傍受が困難なＮＦＣ（Near Field Communication）によって無線端末１０との間で無線通信を行う。また、店舗端末２０は、無線端末１０から送信された記述データを受信する。また、店舗端末２０は、市民団体や趣味団体などの管理端末であっても良い。趣味団体とは、サークル等の同じ趣味をもつ者が集まった団体などである。
【００１７】
図２は、無線端末１０の機能構成を表す概略ブロック図である。
無線端末１０は、通信部１１、制御部１２、表示部１３、入力部１４、記憶部１５、抽出部１６及び認証部１７を備える。上記の無線端末１０の各機能部は、バス１を介して互いに接続されている。
通信部１１は、店舗端末２０との間で無線通信を行う。通信部１１は、店舗端末２０から申込書データを受信する。また、通信部１１は、記述データを店舗端末２０に送信する。
【００１８】
制御部１２は、無線端末１０の各機能部を制御する。
表示部１３は、液晶ディスプレイ、有機ＥＬ（Electro Luminescence）ディスプレイ等の画像表示装置である。表示部１３は、受信された申込書データを表示する。
【００１９】
入力部１４は、タッチパネル等の既存の入力装置を用いて構成される。入力部１４は、ユーザの指示を無線端末１０に入力する際にユーザによって操作される。
記憶部１５は、自装置（無線端末１０）が利用する種々の情報を記憶する。例えば、記憶部１５は、個人情報転送アプリケーションに関する情報と対応付けてアプリケーションに関する情報を記憶する。ここでは、個人情報転送アプリケーションに関する情報とは、アプリケーションを利用する際に登録されたこのアプリケーションに関する個人情報である。例えば、アプリケーションに関する情報には、優先順位、アプリケーションＩＤ、アプリケーション名、アプリケーション情報が格納されているアプリケーションテーブルが含まれる。この、アプリケーションテーブルは、図３に示すように、各アプリケーションに関する各種情報を記憶する。
【００２０】
アプリケーションテーブルは、アプリケーションに関する情報を表すレコード４０を複数有する。レコード４０は、アプリケーションＩＤ、アプリケーション名及びアプリケーション情報の各値を有する。アプリケーションＩＤの値は、レコード４０によって表されるアプリケーションを一意に識別するための識別番号を表す。アプリケーション名の値は、レコード４０によって表されるアプリケーションの名前を表す。アプリケーション情報の値は、アプリケーションを利用する際に登録された、当該アプリケーションに関する個人情報である。このアプリケーション情報は、個人情報そのもの記憶しておいても良いし、個人情報が記憶された無線端末１０内の記憶領域を特定するアドレスであっても良い。このアドレスが指定されていることにより、アプリケーションに関する情報を記憶部１５から読み出すことができる。
【００２１】
図３に示す例では、アプリケーションテーブルには３つのアプリケーションＩＤが存在する。これら３つのアプリケーションＩＤは、“Ａｐｐｌｉｃａｔｉｏｎ１”、“Ａｐｐｌｉｃａｔｉｏｎ２”、“Ａｐｐｌｉｃａｔｉｏｎ３”である。図３において、アプリケーションテーブルの最上段の行は、アプリケーションＩＤの値が“Ａｐｐｌｉｃａｔｉｏｎ１”、アプリケーション名の値が“ＩＤカードアプリ”、アプリケーション情報の値が“ＩＤカード情報”、優先順位の値が“１”である。即ち、“Ａｐｐｌｉｃａｔｉｏｎ１”で識別されるアプリケーションは、“ＩＤカードアプリ”であり、“ＩＤカードアプリ”から抽出される情報が“ＩＤカード情報”であり、優先順位が最も高いことを表している。ＩＤカード情報とは、例えば、国民カードや社員証などの発行時に登録されたユーザの個人情報を表す。
【００２２】
また、図３において、アプリケーションテーブルの２段目の行は、アプリケーションＩＤの値が“Ａｐｐｌｉｃａｔｉｏｎ２”、アプリケーション名の値が“電話帳アプリ”、アプリケーション情報の値が“電話帳情報”、優先順位の値が“２”である。即ち、“Ａｐｐｌｉｃａｔｉｏｎ２”で識別されるアプリケーションは、“電話帳アプリ”であり、“電話帳アプリ”から抽出される情報が“電話帳情報”であり、“ＩＤカードアプリ”の次に優先順位が高いことを表している。電話帳情報とは、例えば、電話帳に登録された名前、電話番号、住所などの個人情報を表す。
【００２３】
また、図３において、アプリケーションテーブルの３段目の行は、アプリケーションＩＤの値が“Ａｐｐｌｉｃａｔｉｏｎ３”、アプリケーション名の値が“クレジットカードアプリ”、アプリケーション情報の値が“クレジットカード情報”、優先順位の値が“３”である。即ち、“Ａｐｐｌｉｃａｔｉｏｎ３”で識別されるアプリケーションは、“クレジットカードアプリ”であり、“クレジットカードアプリ”から抽出される情報が“クレジットカード情報”であり、“電話帳アプリ”の次に優先順位が高いことを表している。クレジットカード情報とは、例えば、クレジット番号、クレジットカードの有効期限などの個人情報を表す。
【００２４】
なお、図３では、アプリケーションテーブルに格納されているアプリケーションに関する情報は、３つであるが、４つ以上のアプリケーションに関する情報が格納されても良いし、２つ以下のアプリケーションに関する情報が格納されても良い。
また、優先順位の値は、上述の順位に限定される必要はなく、ユーザの操作に応じて任意に設定されても良いし、予め設定されていても良い。
また、アプリケーションテーブルは、無線端末１０にインストールされている他のアプリケーションが個人情報転送アプリケーションに対応付けられる度に、レコード４０を追加して対応付けられたアプリケーションに登録されている情報を記憶しても良い。
【００２５】
図２に戻って、無線端末１０の説明を続ける。
抽出部１６は、制御部１２の指示に従い、アプリケーションテーブルの各アプリケーションに記憶されている個人情報の中から申込書データの項目データに対応する個人情報（以下、「関連情報」という。）を抽出する。
認証部１７は、関連情報にクレジットカード情報が含まれる際に認証を行う。例えば、認証部１７は、入力部１４から入力されるＰＩＮコードが正しいか否かを認証する。
判定部１８は、例えば、認証部１７によって認証された結果に基づいて、無線端末１０を一定期間使用停止にするか否かを判定する。
【００２６】
図４は、表示画面における表示例である。
図４（Ａ）は、申込書データの受信画面を表す図である。受信画面は、無線端末１０が店舗端末２０から申込書データを受信することによって申込書データが表示画面（表示部１３）に表示される。例えば、表示画面（表示部１３）に表示されている“氏名（漢字／フリガナ）”、“性別”、“生年月日”、“年齢”、“会社名”、“所属部署”、“自宅住所”、“自宅ＴＥＬ”、“クレジットカード名義人”、“カード番号（ＰＡＮ）”、“有効期限”の各項目がユーザの入力が必要な個人情報の項目データを表す。受信画面には、複数の項目データと各項目データのうちデフォルト情報によって設定された項目に対応する個人情報が記憶部１５から読み出されて項目に対応付けて表示される。項目データに対応付けて表示されている「○○○○」は、個人情報が入力済みであること、すなわち、実際の個人情報を表す。また、項目データに対応付けて表示されている「＊…＊」は、個人情報が未入力であることを表す。例えば、デフォルト情報で読み出しが指定されなかったため、ＮＵＬＬのデータが表示される。
【００２７】
また、各項目データの横（図４（Ａ）では、各項目データの左側）には、各項目データに対応するチェックボックスが表示されている。チェックボックスにチェックマークが入っている項目データは、その項目データに対応する個人情報が入力されていることを表す。また、チェックボックスにチェックマークが入っていない項目データは、その項目データに対応する個人情報が入力されていないことを表す。
ユーザが受信画面に表示されているチェックボックスを押下することによって、押下された項目データに対応する個人情報が記憶部１５から抽出されて表示される。
【００２８】
図４（Ｂ）は、ＰＩＮ（Personal identification number）入力画面を表す図である。ＰＩＮ入力画面は、個人情報のうち、クレジットカード情報などの項目データに対応する個人情報を入力させる場合に表示画面に表示される。ＰＩＮ入力画面には、入力ボタン領域５０及び表示領域６０の各領域が存在する。入力ボタン領域５０は、ユーザにＰＩＮコードを入力させる際に押下可能（タッチ可能）な複数の入力ボタンが表示されている領域である。ユーザは、ＰＩＮ入力画面に表示されている入力ボタンを押下することによってＰＩＮコードを入力する。表示領域６０は、入力ボタン領域５０で入力されたＰＩＮコードが表示される領域である。なお、表示領域６０には、入力されたＰＩＮコードを“＊＊＊＊”として表示し、入力された数字を直接表示しないようにすることもできる。
【００２９】
図５は、表示画面における表示例である。
図５（Ａ）は、確認画面を表す図である。確認画面は、受信画面に表示されている「確認」ボタンが押下された場合、あるいは、ＰＩＮ入力画面においてユーザが入力したＰＩＮコードが正しい場合に表示画面に表示される。確認画面とは、例えば、「下記項目を送信して良いですか？」と、項目ごとに入力された個人情報が表示される画面である。ユーザは、確認画面に表示された個人情報を店舗端末２０に送信して良いか否かを判断することができる。なお、確認画面において、ユーザがチェックボックスのチェックマークを外すことによって、一部の項目データに対応する個人情報を送信しないようにしても良い。この場合、申込書データを店舗端末２０に送信後、ユーザは店舗端末２０上で必要な（チェックマークを外した項目等）の個人情報を手入力する。また、印刷された申込書に必要な個人情報を店舗において手書きで記載しても良い。
【００３０】
図５（Ｂ）は、送信画面を表す図である。送信画面は、確認画面に表示されている「確認」ボタンが押下されることによって表示画面に表示される。送信画面の「送信」ボタンがユーザによって押下されると、送信画面に表示されている各データが店舗端末２０に送信される。その後、送信画面に表示されている各データは非表示となる。
【００３１】
図６及び図７は、本実施形態における関連情報転送処理の流れの具体例を示すフローチャートである。
まず、無線端末１０は、ユーザによって店舗端末２０に近づけられ、通信を行う指示が入力されると、関連情報転送処理が開始される。関連情報転送処理が開始されると、無線端末１０の通信部１１は、店舗端末２０から申込書データを受信する（ステップＳ１０１）。制御部１２は、受信された申込書データの項目データに対応するデフォルト情報の項目を特定する（ステップＳ１０２）。抽出部１６は、特定されたデフォルト情報の項目のうち、一つの項目に対して、その項目に対応する個人情報を記憶部１５から抽出する（ステップＳ１０３）。制御部１２は、読み出された個人情報がアプリケーション間において、重複したか否かを判定する（ステップＳ１０４）。個人情報が重複した場合（ステップＳ１０４−ＹＥＳ）、制御部１２は優先順位が最も高いアプリケーションに関する個人情報を申込書データの項目に対応する個人情報として記述する（ステップＳ１０５）。
【００３２】
その後、制御部１２は、特定された全てのデフォルト情報の項目を申込書データの項目に記述したか否かを判定する（ステップＳ１０６）。特定された全てのデフォルト情報の項目を申込書データの項目に記述した場合（ステップＳ１０６−ＹＥＳ）、制御部１２は個人情報が記述されていない申込書データの項目が存在するか否かを判定する（ステップＳ１０７）。個人情報が記述されていない申込書データの項目が存在しない場合（ステップＳ１０７−ＮＯ）、制御部１２は確認画面を表示部１３に表示する（ステップＳ１１２）。
一方、個人情報が記述されていない申込書データの項目が存在する場合（ステップＳ１０７−ＹＥＳ）、制御部１２は個人情報が記述されていない申込書データの項目に対応する個人情報の入力をするよう要求画面を表示部１３に表示し、入力部１４からの入力を受け付ける（ステップＳ１０８）。そして、制御部１２は、申込書データの項目にクレジットカード情報が含まれるか否かを判定する（ステップＳ１０９）。
【００３３】
申込書データの項目にクレジットカード情報が含まれる場合（ステップＳ１０９−ＹＥＳ）、制御部１２はＰＩＮ入力画面を表示部１３に表示し、ユーザからのＰＩＮコードの入力を受け付ける（ステップＳ１１０）。ユーザによってＰＩＮコードが入力されると、認証部１７はユーザによって予め設定されたＰＩＮコードと、入力されたＰＩＮコードとが一致するか否かを判定する（ステップＳ１１１）。ＰＩＮコードが一致する場合（ステップＳ１１１−ＹＥＳ）、制御部１２はクレジットカード情報及び入力部１４から入力された個人情報を、申込書の項目データに対応付けて記述する。その後、制御部１２は確認画面を表示部１３に表示する（ステップＳ１１２）。
【００３４】
次に、制御部１２は、確認画面の確認ボタンが押下されたか否かを判定する（ステップＳ１１３）。確認ボタンが押下された場合（ステップＳ１１３−ＹＥＳ）、制御部１２は送信画面を表示部１３に表示する（ステップＳ１１４）。
一方、ステップＳ１１３の処理において、確認ボタンが押下されなかった場合（ステップＳ１１３−ＮＯ）、無線端末１０はステップＳ１１３の処理を繰り返し実行する。
【００３５】
次に、制御部１２は、送信画面の送信ボタンが押下されたか否かを判定する（ステップＳ１１５）。送信ボタンが押下された場合（ステップＳ１１５−ＹＥＳ）、通信部１１は送信画面に表示されている記述データを店舗端末２０に送信する（ステップＳ１１６）。その後、関連情報転送処理が終了する。
一方、ステップＳ１１５の処理において、送信ボタンが押下されなかった場合（ステップＳ１１５−ＮＯ）、無線端末１０はステップＳ１１５の処理を繰り返し実行する。
【００３６】
また、ステップＳ１０４の処理において、個人情報が重複しなかった場合（ステップＳ１０４−ＮＯ）、制御部１２は抽出されたデフォルト情報の項目に対応する個人情報を、申込書データの項目に対応付けて記述する（ステップＳ１１７）。
また、ステップＳ１０６の処理において、特定されたデフォルト情報の各項目を申込書データの項目に記述していない場合（ステップＳ１０６−ＮＯ）、抽出部１６は今までのステップ１０３の処理において、個人情報を抽出していないデフォルト情報の項目について、その項目に対応する個人情報を記憶部１５から抽出する。
【００３７】
また、ステップＳ１０９の処理において、申込書データの項目にクレジットカード情報が含まれない場合（ステップＳ１０９−ＮＯ）、制御部１２はステップＳ１０８で入力された個人情報を、申込書の項目データに対応付けて記述する。その後、制御部１２は、確認画面を表示部１３に表示する（ステップＳ１１２）。
また、ステップＳ１１１の処理において、ＰＩＮコードが一致しない場合（ステップＳ１１１−ＮＯ）、認証部１７はＰＩＮコードの入力エラー数に“１”を加算する。その後、制御部１２は入力エラー数が所定の回数以上か否かを判定する（ステップＳ１１８）。入力エラー数が所定の回数以上ではない場合（ステップＳ１１８−ＮＯ）、制御部１２は表示部１３にエラー画面を表示してユーザに入力エラーを通知する（ステップＳ１２０）。その後、ステップＳ１１０の処理に戻る。
【００３８】
一方、入力エラー数が所定の回数以上である場合（ステップＳ１１８−ＹＥＳ）、判定部１８はカードを一定期間使用停止にするか否かを指定する値が記憶された記憶領域を参照し、その値に従って判定する（ステップＳ１１９）。カードを一定期間使用停止にする場合（ステップＳ１１９−ＹＥＳ）、関連情報転送処理は終了する。一方、カードを一定期間使用停止にしない場合（ステップＳ１１９−ＮＯ）、制御部１２はクレジットカード情報を申込書データの項目に記述しないように制御する（ステップＳ１２１）。そして、制御部１２は、クレジットカード情報以外に入力部１４から入力された個人情報を、申込書の項目データに対応付けて記述する。その後、制御部１２は、確認画面を表示部１３に表示する（ステップＳ１１２）。
なお、ステップＳ１１９の処理において、カードを一定期間使用停止にするか否かを指定する値は、必要に応じて、個人情報転送アプリの配信元のサーバ（不図示）から無線端末１０に対して送信し、更新することができる。
【００３９】
以上のように構成された無線端末１０によれば、店舗端末２０から受信した申込書データの項目データに対応する個人情報を無線端末１０にインストールされたアプリケーションを実行する際に用いられるすでに登録された個人情報から読み出して入力することができる。また、個人情報を抽出する対象の各アプリケーションに対して優先順位が設定されることで、同じ項目データに対して複数のアプリケーションの個人情報がある場合であっても優先順位に応じて個人情報が抽出される。したがって、項目データに対応する個人情報が重複することが無い。さらに、アプリケーションに、項目データに対応する個人情報が記憶されていない場合であっても、無線端末１０はユーザに個人情報を手入力させることで項目データの入力ができる。そのため、ユーザは、インストールされたアプリケーションに関連して既に登録された個人情報に存在しない個人情報のみを入力するだけで済み、個人情報等の入力を容易に行うことが可能となる。
【００４０】
＜変形例＞
無線端末１０と店舗端末２０との間で行われる通信の通信形態は、上述した通信形態に限定される必要はない。例えば、無線端末１０及び店舗端末２０は、Bluetooth（登録商標）、Ｗｉ−Ｆｉ（登録商標）、赤外線通信などによって互いに無線通信を行っても良い。また、無線端末１０及び店舗端末２０は、インターネット等のネットワークを介して互いに通信を行っても良い。また、無線端末１０及び店舗端末２０は、有線通信によって互いに通信を行っても良い。
また、項目データは、上述の項目データ以外のデータであっても良い。例えば、ペットの名前、未婚か既婚かなど、ユーザに関する情報であればどのような情報であっても良い。また、項目データ毎に、入力が必須である必須項目と入力するか否かは任意である任意項目とがそれぞれ設定されても良い。
また、店舗ごとに申込書データの項目データの表記が異なる場合（例えば、名前の表記が氏名、名前、姓名のように異なる場合）、無線端末１０は既存の技術の類義語辞書機能を用いて類義語認証し、同じ項目であるか否かを判定するように構成されても良い。
【００４１】
また、本実施例では、無線端末１０は、申込書データの送信後に送信画面に表示された各情報を保存しても良いし、ユーザの操作に応じて送信画面を保存しても良い。これにより、申込書データに記述した内容を後から確認することができる。
また、個人情報は、上述した優先順位以外の方法で抽出されても良い。例えば、使用頻度の多いアプリケーションから順番に個人情報を抽出しても良いし、使用された日付が新しいアプリケーションから順番に個人情報を抽出しても良い。また、各アプリケーションに記憶されている個人情報の項目データごとに統計をとって、項目データ毎に同じ表現で表されている個人情報を抽出しても良い。
【００４２】
また、関連情報転送処理を実行している際に、デフォルト情報を追加するように構成されても良い。具体的には、以下の通りである。
通信部１１が店舗端末２０から申込書データを受信した後、デフォルト情報の項目が申込書データの項目より少ない場合、すなわち、申込書データの項目のうち、デフォルト情報の項目に含まれていない項目がある場合、制御部１２はデフォルト情報の項目を追加するか否かを判定する。例えば、制御部１２は、受信画面に表示されている項目データのチェックボックスにチェックマークが入力されたか否かを判定する。項目データのチェックボックスにチェックマークが入力された場合、抽出部１６はチェックチェックマークが入力された項目データに対応する個人情報を記憶部１５から抽出する。この際、抽出した個人情報がアプリケーション間において複数存在する場合、抽出部１６は優先順位の高いアプリケーションに関する個人情報を抽出する。その後、制御部１２は、抽出した個人情報をデフォルト情報に追加登録する。即ち、追加された項目がデフォルト情報として許可される。
【００４３】
また、デフォルト設定処理は、上述の処理に限定される必要はない。例えば、申込書データを受信した時点で、記憶部１５から個人情報を読み出すのではなく、デフォルト情報に含まれる項目に対して個人情報を予め読み出して記憶しておくデフォルト設定処理が行われても良い。
図８は、変形例における無線端末１０のデフォルト設定処理の流れの具体例を示すフローチャートである。
無線端末１０は、ユーザの操作に応じて、個人情報転送アプリケーションをダウンロードする（ステップＳ２０１）。次に、無線端末１０は、ユーザの操作に応じて、個人情報転送アプリケーションをインストールする（ステップＳ２０２）。その後、無線端末１０は、ユーザの操作に応じて、個人情報転送アプリケーションと自装置（無線端末１０）にインストールされている各アプリケーションとの同期設定を行う。無線端末１０は、ユーザの操作に応じてデフォルト情報を設定する。具体的には、まず、入力部１４は、ユーザからデフォルト情報に設定する個人情報の項目選択を受け付ける。次に、制御部１２は、選択された項目に対応する個人情報を記憶部１５から抽出するように抽出部１６に指示する。その後、抽出部１６は、制御部１２の指示に従い、個人情報転送アプリケーションに対応付けられた各アプリケーションに関する個人情報からユーザに選択された個人情報を抽出する（ステップＳ２０３）。
【００４４】
制御部１２は、抽出された個人情報をデフォルト情報に設定する（ステップＳ２０４）。この際、制御部１２は、アプリケーション間において重複する個人情報が存在するか否かを判定する（ステップＳ２０５）。重複する個人情報が存在する場合（ステップＳ２０５−ＹＥＳ）、制御部１２は重複する個人情報に関しては、優先順位の高い記憶部１５から抽出した個人情報をデフォルト情報の項目に対応付けて記憶する（ステップＳ２０６）。その後、無線端末１０のデフォルト設定処理を終了する。
一方、重複する個人情報が存在しない場合（ステップＳ２０５−ＮＯ）、無線端末１０のデフォルト設定処理を終了する。
このような処理を行うことにより、任意の時点において記憶部１５に記憶された個人情報を申込書データに記述することが可能となる。
【００４５】
以上、この発明の実施形態について図面を参照して詳述してきたが、具体的な構成はこの実施形態に限られるものではなく、この発明の要旨を逸脱しない範囲の設計等も含まれる。
【００４６】
なお、本発明の無線端末１０の各処理を実行するためのプログラムをコンピュータ読み取り可能な記録媒体に記録して、当該記録媒体に記録されたプログラムをコンピュータシステムに読み込ませ、実行することにより、無線端末１０の各処理に係る上述した種々の処理を行っても良い。なお、ここでいう「コンピュータシステム」とは、ＯＳや周辺機器等のハードウェアを含むものであっても良い。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００４７】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（DynamicRandomAccessMemory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されても良い。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００４８】
１０…無線端末，  ２０…店舗端末，  １１…通信部，  １２…制御部，  １３…表示部，  １４…入力部，  １５…記憶部，  １６…抽出部，  １７…認証部，  １８…判定部
【図１】
2014170489.tif 000003
【図２】
2014170489.tif 000004
【図３】
2014170489.tif 000005
【図４】
2014170489.tif 000006
【図５】
2014170489.tif 000007
【図６】
2014170489.tif 000008
【図７】
2014170489.tif 000009
【図８】
2014170489.tif 000010